(57)【要約】【課題】メダル選別装置の清掃などでメダルプレートを開放させる場合にメダルプレートを回動させ、容易に開放させた状態を維持できるようにしたメダル選別装置を提供するものである。【解決手段】メダル選別装置１０の排出規制板４０の一部に開放維持手段としてのカバー係止部４２を設け、カバープレート３０の右下部にある係止受部３５をカバー係止部４２に合わせ、カバープレート３０を排出規制板４０に係合させる。これによりカバープレート３０と排出規制板４０とから手を離しても、カバープレート３０と排出規制板４０とを開放したまま維持できるようにしたメダル選別装置。【選択図】　図１
2004062832.tif 000002
【特許請求の範囲】
【請求項１】
装置本体部と、
メダルの通過を検出するメダル検出センサーと、
前記装置本体部に設けられた開閉自在のカバープレートと、
前記カバープレートの閉鎖時に装置本体部とで構成されるメダル通路と、
を備えたメダル選別装置であって、
前記装置本体部に排出規制板を設け、
前記カバープレートの開放時に、前記排出規制板でカバープレートを係止させることによりカバープレートの開放状態を維持させることを特徴とするメダル選別装置。
【請求項２】
請求項１記載のメダル選別装置であって、
前記装置本体部に開放維持手段を備えた排出規制板を回動自在に設け、
前記開放維持手段を備えた排出規制板の回動時に、前記排出規制板とカバープレートとを係合させることによりカバープレートの開放状態を維持させることを特徴とするメダル選別装置。
【発明の詳細な説明】
【０００１】
【発明が属する技術分野】
本発明は、遊技用のメダルなどの真偽を判定し、真正なメダルを選別するメダル選別装置に関する。
【０００２】
【従来の技術】
従来、ゲームセンターなどの遊技場に設置された遊技機には、メダル投入口から投入されたメダルの真偽を判定し、偽物を排除して、真正なもののみを選び出すメダル選別装置が設けられているものがある。このメダル選別装置は、投入されるメダルの大きさに適合したメダル通路を有する装置本体を含んでいる。メダル通路は斜めに配置された部分を有し、メダルはこの斜めの通路を転がりながら通過する。また、メダル通路は、真正なメダルの直径に合った通路幅と、厚さにあった通路厚さを有し、これらの寸法以外の大きなメダルが投入された場合はこれの進入を阻止し、この寸法以外の小さなメダルが投入された場合には、通路厚さ方向に通路外へ排出するための排出窓を有している。
【０００３】
そして、メダル選別装置は、１日にたくさんの真正なメダルまたは真正と判断されなかったメダルを受け入れるために、メダル通路内やセンサー部には、埃や塵などのゴミが付着したり、メダルに付着した手垢などがメダルの転動により擦り付けられ、非常に汚れが付着しやすい箇所でもあり、それらの汚れの付着によりメダルの転動が悪くなり、メダルが詰まったり、センサーの判別能力を低下させてしまうので、月１回程度、メダル選別装置内を従業員などが清掃する必要があった。
【０００４】
さらに、通路を転がるメダルの通過を検出するメダルセンサーが複数箇所に設けられている。センサーを複数設けることによって、個々のセンサーにより検出されるメダルの通過タイミングなどから、真正なメダルであるか否かの判定を行っている。
【０００５】
【発明が解決しようとする課題】
前記メダル選別装置は、遊技機の本体部分の制約から、その外形寸法等を自由に決定することができない。メダル選別装置のメダル通路内の清掃時には、メダル選別装置内に設けられたカバープレートを片手で回動させ、回動させたカバープレートをそのまま支えながら、メダル通路やセンサーなどを清掃しなければならなかった。メダル選別装置内に設けられたカバープレートは付勢手段が備えられているものが多く、清掃時に手を挟んでしまって怪我をすることも少なくなかった。また片手で回動を維持できない場合には、何度もカバープレートの開放動作を繰り返し行いながら、片手で内部の清掃を行わなければならなかった。
【０００６】
本発明の目的は、以上の点を鑑み、メダル選別装置の清掃などでカバープレートを開放させる場合にカバープレートを回動させ、容易に開放させた状態を維持できるようにしたメダル選別装置を提供するものである。
【０００７】
【課題を解決するための手段】
本発明の請求項１によれば、装置本体部と、メダルの通過を検出するメダル検出センサーと、前記装置本体部に設けられた開閉自在のカバープレートと、前記カバープレートの閉鎖時に装置本体部とで構成されるメダル通路と、を備えたメダル選別装置であって、前記装置本体部に排出規制板を設け、前記カバープレートの開放時に、前記排出規制板でカバープレートを係止させることによりカバープレートの開放状態を維持させる構成によって目的が達成される。
【０００８】
本発明の請求項２によれば、請求項１記載のメダル選別装置であって、前記装置本体部に開放維持手段を備えた排出規制板を回動自在に設け、前記開放維持手段を備えた排出規制板の回動時に、前記排出規制板とカバープレートとを係合させることによりカバープレートの開放状態を維持させる構成によって目的が達成される。
【０００９】
【発明の実施の形態】
以下、本発明の実施の形態（以下実施形態という）を、各図に従って詳細に説明する。
図１は、本発明の実施形態であるメダル選別装置１０の外観斜視図である。
図２は、排出規制板４０を取り外した状態のメダル選別装置１０の正面図である。
図３は、カバープレート３０と排出規制板４０とが開放された状態が示された斜視図である。（開放維持手段とは係止されていない状態）
図２に関しては、メダル選別装置１０の内部構成を説明するために、排出規制板４０を取り外した後、カバープレート３０を上方に回動し、メダル通路２１が見える状態に描かれているが、実際の使用時には、図１のようにカバープレート３０は排出規制板４０内に閉じられ、ベース部２０と連結することでメダル通路部２１を形成し、排出規制板４０もしっかりとベース部２０に取り付けられている。
【００１０】
前記メダル選別装置１０は、投入されたメダルが真正なものか真偽判断する部分であって、特にメダルの直径や厚さなどから機械的に選別を行う部分を含む装置本体部としてのベース部２０と、カバープレート３０と、排出規制板４０と、シュート１４で構成されている。
【００１１】
ベース部２０は、右側端には９０度で起立して設けられた右側壁２０ａと左側端には９０度で起立して設けられた左側壁２０ｂとにより、略コの字形の形状を成している。右側壁２０ａの正面中央付近には、排出規制板４０の回動軸４３を着脱可能に取り付けるための回動軸受部２８が設けられ、左側壁２０ｂの正面中央付近には、排出規制板４０をベース部２０にワンタッチ接続可能になるように、連結爪２０ｃ、２０ｄが設けられている。また、右側壁２０ａの内側近傍には、投入されたメダルの上端を検出するメダル検出センサー２６とメダルの下端を検出するメダル検出センサー２７がベース部２０の背部より着脱可能に設けられている。
【００１２】
カバープレート３０は、ベース部２０と接合するための回動付勢部３１により上方に向かって回動可能に設けられている。また、ガイドプレート３０は通常時、ベース２０と重ね合わされることで、カバープレート３０とベース部２０との間に隙間が形成され、その隙間は投入されたメダルを通過させるためのメダル通路２１として形成されている。
【００１３】
排出規制板４０は、シュート１４側にあるベース部２０の右側壁２０ａの回動軸受部２８から回動軸４３が着脱可能で、ベース部２０の左側壁２０ｂ方向より手前側に回動可能に設けられている。また、排出規制板４０は、ベース部２０の左側壁２０ｂ正面中央付近上に設けられた連結爪２０ｃ、２０ｄと連結部４１とで係止することでワンタッチ接続可能で、メダル通路２１と一定の適宜間隔をあけた略コの字形の形状を成している。メダル通路２１と排出規制板４０との間に設けられた一定の適宜間隔は、メダル通路２１の排出窓３４から排出されたメダルの姿勢に係らず、メダルが詰まらないような十分な距離を確保しつつ、メダル選別装置１０の外形が大きくならない範囲で収められ、排出規制板４０の回動範囲にも影響を及ぼされず、限られたスペース内で形成されている。また、排出規制板４０の上辺の一部には、曲線状のくぼみが形成され、そのくぼみの一部には上方に向かって突出し、回動させたカバープレート３０を係止させることで、カバープレート３０を開いたままの状態で維持させることが可能な開放維持手段としてのカバー係止部４２が設けられている。尚、排出規制板４０は、ベース部２０の回動軸受部２８内の上下２箇所に設けられた爪（図示せず）に排出規制板４０の回動軸４３を差し込んで、回動軸４３を回動軸受部２８内に係止させることで回動可能に取り付けているのでネジを必要とせず、またネジ取り付け用のスペースを確保しなくて済むので、取り付けスペースを抑え且つ材料費も下げることができる。
【００１４】
シュート１４は、メダル通路２１の出口付近において、ベース部２０の右側壁２０ａの外側に連結固定され、メダルの通過を検出するメダル検出センサー１５が背部より着脱可能に設けられている。
【００１５】
メダル通路２１は、入り口付近において、メダルが垂直に降下する部分（以下この部分を垂直部という）と、これに続いて斜めに傾斜した部分（以下この部分を傾斜部という）を有し、矢印Ａの方向より投入されたメダルを、斜めに方向を方向変換させ、シュート１４に送り出すようになっている。メダル通路２１の垂直部には、通路幅を真正なメダルの直径に相当する幅規制をする幅規制ガイド２２、３２が設けられている。一方の幅規制ガイド２２はベース部２０に設けられ（図２参照）、他方の幅規制ガイド３２はカバープレート３０に設けられている（図１参照）。
また、メダル通路２１のほぼ全長にわたって通路の厚みを真正なメダルの厚さに相当する値に規制する厚さ規制リブ２３がベース部２０に設けられ、同様に厚さ規制リブ３３はカバープレート３０に設けられている。これらの幅規制ガイド２２、３２と厚さ規制リブ２３、３３は、カバープレート３０が閉じたときにメダル通路２１の幅、厚さを定め、真正なメダルより大きな寸法のものが通過しないように阻止する構造になっている。
【００１６】
メダル通路２１の傾斜部には、斜面２４が設けられており、メダルはこの斜面２４上を転動する。カバープレート３０の傾斜部に相当する位置には長穴状の排除窓３４が設けられている。排除窓３４はメダル通路２１の傾斜部に沿って延びる長穴状の開口部であって、カバープレート３０を閉じたときに斜面２４とこれに並行して延びる排除窓３４の上辺との間隔は、真正なメダルの直径よりもやや小さくなっている。これにより真正なメダルはカバープレート３０からその上端と下端とに規制を受けながら、メダル通路２１内をシュート１４に向かって転動し送り出されるが、真正なメダルより小さい直径、より詳しくは斜面２４と排出窓３４の上辺との間隔より小さい直径のメダルは、そのメダルの上端がカバープレート３０からの規制を受けないので、排出窓３４からメダル通路２１の外側に向かって排出される。
【００１７】
尚、メダル通路２１の内部には、小さいメダルを排出窓３４から確実にメダル通路２１外に排出するために、メダル通路２１内を通過するメダルの背面側から正面側（手前方向）に押し出す方向へ力を加える排除爪２５が配置されている。メダル通路２１内を通過してくるメダルが真正なメダルであれば、メダル通路２１内を通過中に背面側から排除爪２５の押出力を受けても、そのメダルの直径が排除窓３４よりも大きいので、通過するメダルはカバープレート３０により上下端をしっかりと支持され、排除爪２５からの押出力の影響を受けず、容易にシュート１４へ向かって転動することができる。
一方、排出窓３４よりもその直径が小さいメダルの場合には、その上端がカバープレート３０によって支持されないので排除爪２５の押出力によって、メダル通路２１外（手前方向）へ排出され、下方へ落下するようになっている。例え、排出窓３４から排出されたメダルが飛び出してきた場合でも、メダルの飛び散りを防止するために設けられている排出規制板４０により、飛び出したメダルは排出規制板４０の内側に当たり下方に落下する。また、排出規制板４０はメダル通路２１と一定の適宜間隔を空けて設けられているので、排出窓３４から排出されたメダルの姿勢に係らず、排出されたメダルはメダル通路２１と排出規制板４０との間に引っ掛かることなく、確実に下方に向かって落下するようになっている。
【００１８】
メダル選別装置１０には、３つのメダル検出センサー２６、２７、１５が設けられている。この３つのメダル検出センサー２６、２７、１５は、略コの字形の形状を成し、コの字の開口部分内にメダルが存在する場合に信号の出力が変化するものであり、それぞれの信号の出力タイミングは各メダル検出センサー内を通過するメダルの通過速度、メダルの直径により決まるものである。また、同時に通過したメダルの個数も計数することができるようになっている。シュート１４に設けられたメダル検出センサー１５は、図２中破線で示すように、メダル５０がメダル通路２１の斜面２４上に残っているときに、ベース部２０より突出した部分を検出する位置に配置されている。ここに位置することによって、メダル５０の検出タイミングが安定化し、真偽の判定制度を高めることが可能になる。
【００１９】
次に、本発明の要旨について、図３と図４を参照し、メダル選別装置１０の清掃作業時の操作説明をする。
本発明の実施形態であるメダル選別装置１０の内部の清掃を行う場合には、まず排出規制板４０の左側にあるベース部２０の左側壁２０ｂの上に設けられた連結爪２０ｃ、２０ｄと連結されている連結部４１の爪を指で上下から摘むことで、排出規制板４０は、ベース部２０の左側壁２０ｂとの連結が解除される。排出規制板４０をシュート１４が取り付けられているベース部２０の右側壁２０ａ方向に９０度程度回動させ、カバープレート３０下部を上方に向かって回動させる。続いて、回動しておいた排出規制板４０をカバープレート３０の下方へ多少回動を戻し、カバープレート３０を排出規制板４０に係止させる。これによりカバープレート３０と排出規制板４０とから手を離しても、カバープレート３０と排出規制板４０とを開放したままの状態（図４参照）を維持できるようになるので、ベース部２０に設けられたメダル通路２１内やメダル検出センサー２６、２７を容易に清掃することが可能になる。
【００２０】
さらに、カバープレート３０と一体に設けられ、カバープレート３０の右下部に設けられた係止受部３５を、排出規制板４０の上辺に設けられた曲線状のくぼみの一部にあり、上方に突出した開放維持手段としてのカバー係止部４２に合わせて載せ、カバープレート３０を排出規制板４０に係合させると、カバープレート３０と排出規制板４０とは、さらに確実に係止され、開放状態を維持できるようになる。
【００２１】
また、メダル選別装置１０は、遊技機の内部に設置されるため、設置空間が限られているので排出規制板４０の回動角を大きく取ることができない。そこで、排出規制板４０の上辺の中央を曲線状のくぼみにすることで、排出規制板４０の回動角を抑えても、排出規制板４０の働きのひとつでもあるメダル通路２１の排除窓３４から放出されたメダルの飛び散り防止の能力を低下させることなく、カバープレート３０との干渉を回避することが可能になる。更に排出規制板４０の回動角を抑えても、清掃作業が行えるような有効スペースを確実に確保し、カバープレート３０と排出規制板４０との開放状態を維持することができる。
【００２２】
【発明の効果】
以上の説明で明らかなように本発明の請求項１によれば、メダル選別装置のカバープレートを開放し、回動させた排出規制板で係止させることで、カバープレートを開放したままの状態に維持することが可能になるので、店員などの清掃作業者は，埃や塵などが付着し易いメダル通路内を容易に清掃することができる。また、清掃時にカバープレートで手を挟んでしまうという怪我することもなくなり、清掃作業に必要な時間も短縮することができる。これにより清掃作業において店員などの清掃作業者への負担が軽減される。
【００２３】
本発明の請求項２によれば、排出規制板に開放維持手段を設けることにより、カバープレートと排出規制板とを確実に係合させることができるので、カバープレートをさらにしっかりと開放したままの状態に維持することが可能になる。また、メダルの飛び散りを防止する排出規制板に開放維持手段を設けることで、確実にカバープレートを開放したままの状態に維持できるので、カバープレートの開放を維持させるための別部品を設ける必要がなく、部品に掛かる費用も抑えることができる。
【図面の簡単な説明】
【図１】本発明に係る実施形態の外観斜視図。
【図２】本発明に係る実施形態の内部構成の正面図。
【図３】本発明に係る実施形態の斜視図で、カバープレート３０と排出規制板４０を回動した状態の内部説明斜視図。
【図４】本発明に係る実施形態の斜視図で、カバープレート３０と排出規制板４０を回動し、開放を維持した状態の外観斜視図。
【符号の説明】
１０　メダル選別装置
１４　シュート
１５　メダル検出センサー（シュート）
２０　ベース部（装置本体部）
２１　メダル通路
２６　メダル検出センサー（ベース部・上）
２７　メダル検出センサー（ベース部・下）
３０　カバープレート
４０　排出規制板
４２　カバー係止部（開放維持手段）
５０　メダル
【図１】
2004062832.tif 000003
【図２】
2004062832.tif 000004
【図３】
2004062832.tif 000005
【図４】
2004062832.tif 000006